(57)【要約】【課題】洗面所に適した大きさの踏み台と容量の大きい収納庫を１台で得ることができる洗面台を提供する。【解決手段】前記洗面台内の下部に収納された状態から手前側に引き出し可能に取り付けられた踏み台兼収納庫と、前記踏み台兼収納庫を移動可能とするための移動手段と、前記移動手段に取り付けられ、前記踏み台兼収納庫の移動を禁止するロック状態にするためのロック機構と、前記ロック状態を解除するロック解除手段と、を備え、前記ロック機構は、前記踏み台兼収納庫を引き出す際に、少なくとも２箇所以上でロック状態となるように構成されていることを特徴とする洗面台を提供する。【選択図】  図４
2009183604.tif 000002
【特許請求の範囲】
【請求項１】
洗面ボウルを上部に有する洗面台であって、前記洗面台内の下部に収納された状態から手前側に引き出し可能に取り付けられ、内部に収納庫を有するとともに、収納庫の上部を開閉可能な天板を有する踏み台兼収納庫と、前記踏み台兼収納庫を移動可能とするための移動手段と、前記移動手段に取り付けられ、前記踏み台兼収納庫の移動を禁止するロック状態にするためのロック機構と、前記ロック状態を解除するロック解除手段と、を備え、前記ロック機構は、前記踏み台兼収納庫を引き出す際に、少なくとも２箇所以上でロック状態となるように構成されていることを特徴とする洗面台。
【請求項２】
前記ロック機構は、前記踏み台兼収納庫が完全に引き出された全開状態と、前記踏み台兼収納庫が完全に引き出されていない半開状態とでロック状態になることを特徴とする請求項１記載の洗面台。
【請求項３】
前記ロック解除手段の操作部は、前記踏み台兼収納庫の側面の手前側に取り付けられ、前記踏み台兼収納庫を前記洗面台内に収納された状態から手前側に引き出す際に、前記半開状態におけるロック状態となる前に、前記操作部が洗面台内から引き出された状態となるように構成されたことを特徴とする請求項２記載の洗面台。
【請求項４】
前記ロック機構がかかる位置が認識できるように、踏み台兼収納庫の天板に目印を設けたことを特徴とする請求項１〜３のいずれかに記載の洗面台。
【請求項５】
前記目印が滑り止め機能を果たしていることを特徴とする請求項４記載の洗面台。
【発明の詳細な説明】
【技術分野】
【０００１】
本発明は、洗面台下部に引き出し可能に取り付けられた踏み台兼収納庫に関する。
【背景技術】
【０００２】
従来の洗面台下部に引き出し可能に取り付けられた踏み台兼収納庫としては、例えば特許文献１に記載されているように、本体から引き出し可能にスライドレールで支持され、下面にキャスターを取り付けた引き出し式収納庫と、前記引き出し式収納庫の上面の一端に開閉自在に連結される踏み板と、前記引き出し式収納庫を引き出した状態に保持する前記スライドレールに設置されるロック機構と、前記ロック機構を解除するロック解除機構とを有し、前記ロック解除機構は、前記スライドレールの先端に備えたロック解除バーを前記引き出し式収納庫の上方に引き上げることでロック状態を解除するものが知られている。
【０００３】
【特許文献１】特開２００４−２９８４３３号公報
【発明の開示】
【発明が解決しようとする課題】
【０００４】
しかしながら、従来技術では、踏み台として使用する場合はロック機構が作用するまで引き出す必要があり、一般的に全開状態まで引き出した時のみ、ロック機構が働く構造になっている。一方、収納庫として使用する場合は蓋を開閉することができるまで引き出す必要があり、やはり全開状態まで引き出すことが必要な構造になっている。そのため、移動距離を大きくすると踏み台としては大きすぎて洗面所には適さず、また移動距離を小さくすると収納庫の容量が大きくできないという課題があった。
【０００５】
そこで、本発明は、上述した従来技術の問題を解決するためになされたものであり、踏み台として、あるいは収納庫として使用するのに最適な位置でロック状態にできる踏み台を有する洗面台を提供することを目的としている。
【課題を解決するための手段】
【０００６】
上記目的を達成するために、本発明は、洗面ボウルを上部に有する洗面台であって、前記洗面台内の下部に収納された状態から手前側に引き出し可能に取り付けられ、内部に収納庫を有するとともに、収納庫の上部を開閉可能な天板を有する踏み台兼収納庫と、前記踏み台兼収納庫を移動可能とするための移動手段と、前記移動手段に取り付けられ、前記踏み台兼収納庫の移動を禁止するロック状態にするためのロック機構と、前記ロック状態を解除するロック解除手段と、を備え、前記ロック機構は、前記踏み台兼収納庫を引き出す際に、少なくとも２箇所以上でロック状態となるように構成されていることを特徴としている。
【０００７】
このように構成された本発明の洗面台においては、少なくとも２箇所以上でロック状態となるため、踏み台としては移動距離を小さくすることで洗面所に適した大きさにすることができ、収納庫としては移動距離を大きくすることで容量を大きくすることができる。
【発明の効果】
【０００８】
本発明の洗面台によれば、洗面所に適した大きさの踏み台と容量の大きい収納庫を１台で得ることができる。
【発明を実施するための最良の形態】
【０００９】
以下、添付図面を参照して本発明の洗面台の実施形態について説明する。図１は、本発明の第一実施形態による洗面台で、踏み台兼収納庫が洗面台内の下部に完全に収納された状態を示す斜視図である。図２は、本発明の第一実施形態による洗面台で、踏み台兼収納庫が完全に引き出された全開状態でロックされた状態を示す斜視図である。図３は、図２の右側面図である。図４は、本発明の第一実施形態による洗面台で、踏み台兼収納庫が完全には引き出されていない半開状態でロックされた状態を示す斜視図である。図５は、図４の右側面図である。図６は、図２の踏み台兼収納庫の移動手段であるスライドレールが全開状態でロックされた状態を示す左側面図である。図７は、図６の拡大正面図である。図８は、図７のスライドレールのロックが解除された状態を示す拡大正面図である。図９は、図４の踏み台兼収納庫の移動手段であるスライドレールが半開状態でロックされた状態を示す左側面図である。図１０は、図９の拡大Ａ−Ａ断面図である。図１１は、図１０のスライドレールのロックが解除された状態を示す拡大断面図である。
【００１０】
図１と図２に示すように、本実施形態の洗面台１は洗面ボウル１１、キャビネット１２および水栓１３によって構成されており、洗面台１の下部に踏み台兼収納庫２が移動手段であるスライドレール３を介して引き出し可能に取り付けられている。また、図示しないが、洗面台１の上方には、前面に鏡が取り付けられたミラーキャビネットが設置されている。
【００１１】
前記踏み台兼収納庫２の構造について説明する。図３に示すように、踏み台兼収納庫２は前板２１、前向板２２、後向板２３、左側板（図示せず）、右側板２４、底板２５、キャスター２６および天板２７によって構成されている。前板２１、前向板２２、後向板２３、左側板、右側板２４、底板２５、キャスター２６はそれぞれダボ、ねじまたは接着剤で組み立てられ、天板２７は例えば丁番（図示せず）を介して後向板２３に取り付けられ、踏み台兼収納庫２を構成している。なお、前記踏み台兼収納庫２の構成はあくまで一例であり、構成部材の数や組み立て、取り付け方法などの設計変更は可能である。
【００１２】
図２に示すように、踏み台兼収納庫２を全開状態にすると天板２７を開いたり外したりすることができ、踏み台兼収納庫２の内部は収納として使用することが可能な収納空間が形成されている。
【００１３】
図４と５に示すように、踏み台兼収納庫２は半開状態において、スライドレール３によってロック機構が働き、踏み台兼収納庫２が移動しないようにロック状態となる。このように、踏み台兼収納庫２が半開状態でロックされるため、使用者が天板２７に乗って踏み台として使用することが可能となる。また、図２に示すように、踏み台兼収納庫２を全開状態にした場合も同じくロック機構が働きロック状態になるため、踏み台兼収納庫２は天板２７に乗って踏み台として使用することが可能となる。このように、収納庫内に収納物を収納したり、収納庫内から収納物を取り出す時のみ、踏み台兼収納庫２を全開状態でロックさせ、踏み台として利用する際には、踏み台兼収納庫２を半開状態でロックさせることができるため、踏み台利用の際に、必要以上に踏み台兼収納庫２を引き出す必要がなくなる。
【００１４】
踏み台兼収納庫２を前記全開または半開状態でロック状態にするスライドレールについて、次に説明する。
【００１５】
本実施形態でのスライドレール３について説明する。すなわち、図６に示すように、スライドレール３はアウターレール３１、インナーレール３２、中間レール３３、ロック機構部３４、ロック解除レバー３５、中間ストッパー前３６および中間ストッパー後３７によって構成されている。アウターレール３１とインナーレール３２は中間レール３３を介して取り付けられており、長さ方向に移動できる構造になっている。ロック機構部３４とロック解除レバー３５は一体になっている。ロック機構部３４とロック解除レバー３５はインナーレール３２に固定されており、インナーレール３２を移動させると、ロック機構部３４およびロック解除レバー３５も同時に移動する。ロック解除レバー３５は図７と図８に示すように左右方向に動かすことができ、これによりロック機構部３４も図７と図８に示すように上下方向に動かすことができる。中間ストッパー前３６と中間ストッパー後３７はそれぞれ高さが高いほうの面すなわち中間ストッパー前高面３６１と中間ストッパー後高面３７１を向かい合わせにして、ロック機構部３４がちょうど収まる間隔でアウターレール３１に固定されている。
【００１６】
図２に示すように、アウターレール３１を前記洗面台１に、インナーレール３２を前記踏み台兼収納庫２にそれぞれねじで固定すると、踏み台兼収納庫２は洗面台１から引き出し可能になる。
【００１７】
スライドレール３が全開状態を保持する機構について説明する。スライドレール３を全開状態にすると、図６に示すように、ロック機構部３４がインナーレール３２とともに前方すなわち図６の右方向に移動し、図７に示すように、アウターレール３１の前面すなわちアウターレール前面３１１に引っ掛かるため、インナーレール３２が後方すなわち図６の左方向に移動できなくなる。インナーレール３２は全開状態であるため、前方にも移動することはできない。こうしてスライドレール３は全開状態でロックされた状態となる。
【００１８】
スライドレール３を再び移動可能にするには、図８に示すように、ロック解除レバー３５を動かし、ロック機構部３４をアウターレール前面３１１に引っ掛からない位置にしたままインナーレール３２を後方に動かせばよい。
【００１９】
次に、スライドレール３が半開状態を保持する機構について説明する。インナーレール３２を全閉状態から徐々に前方に、あるいは全開状態から徐々に後方に移動させると、図９に示すように、ロック機構部３４が中間ストッパー前高面３６１と中間ストッパー後高面３７１の間に収まる。この状態では図１０に示すように、ロック機構部３４が中間ストッパー前高面３６１と中間ストッパー後高面３７１の間にそれぞれ引っ掛かるため、前後方向ともに移動することができず、スライドレール３は半開状態でロックされた状態となる。
【００２０】
ロック機構部３４が中間ストッパー前３６と中間ストッパー後３７の間に収まるためには、ロック機構部３４が中間ストッパー前３６または中間ストッパー後３７のどちらかを越えて移動する必要があるが、中間ストッパー前３６と中間ストッパー後３７にはロック機構部３４の移動方向に沿って傾斜がついており、アウターレール３１と中間ストッパー前３６、中間ストッパー後３７は滑らかに接触しているため、必ずしもロック解除レバー３５を操作しなくても、スムーズに中間ストッパー前３６または中間ストッパー後３７を乗り越えて半開状態でロックされた状態とすることができる。
【００２１】
スライドレール３を再び移動可能にするには、図１１に示すように、ロック解除レバー３５を動かし、ロック機構部３４を中間ストッパー前高面３６１または中間ストッパー後高面３７１に引っ掛からない位置にしたままインナーレール３２を前または後方に動かせばよい。
【００２２】
また、中間ストッパー前３６と中間ストッパー後３７は任意の位置に固定することができるため、半開状態のロック状態の位置は任意に決めることができる。
【００２３】
前記スライドレール３は全開状態と半開状態の２箇所でロック状態となるように構成されている形態について説明したが、中間ストッパー前３６と中間ストッパー後３７を前記同様に増やせば、ロック状態を３箇所、４箇所と順次増やすことは可能である。
【００２４】
なお、移動手段として前記スライドレール３を使用することは本実施形態の一例であり、全開および半開状態でロック状態が保持でき、かつロック状態を解除できる移動手段であれば設計変更は可能である。尚、ロック解除レバー３５は、踏み台兼収納庫を洗面台内に収納された状態から手前側に引き出す際に、半開状態における最初のロック状態となる前に、洗面台内から引き出された位置になるように構成されていることが好ましい。
【００２５】
つぎに、本発明の第二実施形態による洗面台について説明する。図１２は、本実施形態による洗面台で、踏み台兼収納庫の天板の上面にロック機構がかかる位置が認識できるように目印兼滑り止めが設けられた状態を示す斜視図である。
【００２６】
図１２に示すように、踏み台兼収納庫２の天板２７の上面に、ロック機構がかかる位置が認識できるように目印兼滑り止め４が設けられている。このことにより、ロックされた状態にするためにどのくらい踏み台兼収納庫２を引き出せばよいか一目瞭然となり、また濡れた足で天板２７に乗った場合でも滑りにくくなる。他の構成については、第一実施形態と同一であるため、これら同一の構成については説明を省略する。
【図面の簡単な説明】
【００２７】
【図１】本発明の第一実施形態による洗面台で、踏み台兼収納庫が洗面台内の下部に            完全に収納された状態を示す斜視図である。
【図２】本発明の第一実施形態による洗面台で、踏み台兼収納庫が完全に引き出され            た全開状態でロックされた状態を示す斜視図である。
【図３】図２の右側面図である。
【図４】本発明の第一実施形態による洗面台で、踏み台兼収納庫が完全には引き出さ            れていない半開状態でロックされた状態を示す斜視図である。
【図５】図４の右側面図である。
【図６】図２の洗面台において、向かって右側に使用するスライドレールが全開状態            でロックされた状態を示す左側面図である。
【図７】図６の拡大正面図である。
【図８】図７のスライドレールのロックが解除された状態を示す拡大正面図である。
【図９】図４の洗面台において、向かって右側に使用するスライドレールが半開状態            でロックされた状態を示す左側面図である。
【図１０】図９の拡大Ａ−Ａ断面図である。
【図１１】図１０のスライドレールのロックが解除された状態を示す拡大断面図であ              る。
【図１２】本発明の第二実施形態による洗面台で、踏み台兼収納庫の天板の上面にロ              ック機構がかかる位置が認識できるように目印兼滑り止めが設けられた状              態を示す斜視図である
【符号の説明】
【００２８】
１  洗面台
２  踏み台兼収納庫
３  スライドレール
４  目印兼滑り止め
１１  洗面ボウル
１２  キャビネット
１３  水栓
２１  前板
２２  前向板
２３  後向板
２４  右側板
２５  底板
２６  キャスター
２７  天板
３１  アウターレール
３２  インナーレール
３３  中間レール
３４  ロック機構部
３５  ロック解除レバー
３６  中間ストッパー前
３７  中間ストッパー後
３１１  アウターレール前面
３６１  中間ストッパー前高面
３７１  中間ストッパー後高面
【図１】
2009183604.tif 000003
【図２】
2009183604.tif 000004
【図３】
2009183604.tif 000005
【図４】
2009183604.tif 000006
【図５】
2009183604.tif 000007
【図６】
2009183604.tif 000008
【図７】
2009183604.tif 000009
【図８】
2009183604.tif 000010
【図９】
2009183604.tif 000011
【図１０】
2009183604.tif 000012
【図１１】
2009183604.tif 000013
【図１２】
2009183604.tif 000014